(57)【要約】【課題】ヘアケア機器の構造の改良。【解決手段】本体（３０）と、ハンドル（２０）と、ハンドル内への流体入口から本体の流体出口に延びる流体流路と、バッフル（３３０）とを備え、流体流路が非線形的であり、バッフルが流体流路内で流れを誘導する手持型機器を開示する。流体流路は、ハンドル内では第１の方向に流れ、本体内では第２の方向に流れることができる。バッフル（３３０）は、ハンドルと本体との間で流れを誘導するように設けることができる。バッフルは、ハンドルから、本体内に定められた空間内に延びることができる。ハンドルは、ハンドル内の流体流路を定める壁部を含むことができる。バッフルは、壁部の部分的連続部を形成することができる。本体及びハンドルは、第１の部品及び第２の部品として成形することができる。バッフルは、ハンドル部品及び本体部品から形成することができる。【選択図】図１０ａ
2018149372.tif 000002
【特許請求の範囲】
【請求項１】
流体を吸い込んでその流体を流出させることにより毛髪を乾燥又は整髪するためのヘアケア機器であって、外壁及びＰＣＢを含む本体と、壁部と温度及び／又は流れの設定変更用の制御ボタンとを含むハンドルと、該ハンドル内への流体入口から前記本体からの流体出口に流れる流体流路であって前記本体の外壁及び前記ハンドルの壁部の各々により少なくとも部分的に定められる流体流路と、バッフルとを備え、前記流体流路は、非線形的であり、前記バッフルは、前記ハンドルから前記本体により定められる空間内に延びて前記ハンドルと前記本体との間の前記非線形的な流体流路内で流れを誘導し、前記バッフルは、前記ＰＣＢと前記制御ボタンとの間のデジタル接続のための経路を提供する、
ことを特徴とする機器。
【請求項２】
前記流体流路は、前記ハンドル内では第１の方向に流れ、前記本体内では第２の方向に流れる、
請求項１に記載の機器。
【請求項３】
前記バッフルは、前記ハンドルと前記本体との間で流れを誘導するように設けられる、請求項１又は２に記載の機器。
【請求項４】
前記本体及び前記ハンドルは、一体的に成形された第１の部品及び一体的に成形された第２の部品からなる、
請求項１から３のいずれかに記載の機器。
【請求項５】
前記ハンドルの前記壁部は、前記ハンドル内への前記流体入口の下流に位置する、
請求項４に記載の機器。
【請求項６】
前記ハンドルは、前記壁部を取り囲んで前記流体入口を含む外壁を含む、
請求項４又は５に記載の機器。
【請求項７】
前記本体内の前記流体流路は、前記ハンドル内の前記流体流路と実質的に直交する、
請求項１から６のいずれかに記載の機器。
【請求項８】
前記本体は、上流端及び下流端を有し、前記本体からの前記流体出口は、前記下流端又はその近傍に位置する、
請求項７に記載の機器。
【請求項９】
前記ハンドルは、前記本体の前記上流端寄りに位置する、
請求項８に記載の機器。
【請求項１０】
前記ハンドルと前記本体の前記上流端との間において前記本体内にＰＣＢが設けられる、
請求項９に記載の機器。
【発明の詳細な説明】
【技術分野】
【０００１】
本発明は、手持型機器に関し、特にヘアドライヤなどのヘアケア機器に関する。
【背景技術】
【０００２】
一般的には、本体に流体を吸い込むモータ及びファンが設けられ、流体を本体から排出する前に加熱することができる。モータは、ほこり又は毛髪などの異物によって損傷を受け易く、従って通常はブロワへの流体吸気口にフィルタが設けられる。従来、このような機器は、機器から排出される流体流の形状及び速度を変化させる、取り付け及び取り外しが可能なノズルを備える。このようなノズルは、その時のユーザの要求に応じて、機器の流出を集中させたり、又は流出を拡散させたりするために使用することができる。
【０００３】
ファン及びヒータは、機能するために電力を必要とし、この電力は、商用電源ケーブル又は機器に取り付けられたバッテリのいずれかから内部配線を介して供給される。
【０００４】
多くの場合、機器の本体は、継ぎ目に沿って接着することによって結合された、或いはねじを用いて本体の一方の部品を他方の部品に取り付けることなどの別の固定方法によって結合された２つの部品から成るクラムシェルによって形成される。
【発明の概要】
【課題を解決するための手段】
【０００５】
第１の態様によれば、本発明は、ハウジング内で少なくとも１つのワイヤを分配する装置を提供し、この装置は、中心ハブと、中心ハブからハウジングに向かって延びる少なくとも１つのアームとを備え、少なくとも１つのアームは、少なくとも１つのワイヤを収容する。
【０００６】
ハウジングは、中心ハブよりも大きな直径を有する管体であることが好ましい。
【０００７】
少なくとも１つのアームは、一対のアームを含むことが好ましい。２つのワイヤが存在し、一対のアームの各々が１つのワイヤを収容することが好ましい。各ワイヤを収容するアームが設けられ、例えば４つのワイヤが存在する場合には４つのアームが設けられることが好ましい。
【０００８】
少なくとも１つのアームは対称であることが好ましい。少なくとも１つのアームは、断面及び／又は輪郭又はシルエットが対称であることが好ましい。複数のアームを設ける場合、各アームは、中心ハブの周囲に対称的に離間する。一対のアームを設ける場合、一対のアームの各々は、直径方向に離間することが好ましい。一対のアームは、対称であることが好ましい。一対のアームは、Ｙ字形を描くことが好ましい。
【０００９】
少なくとも１つのアームは、少なくとも１つのワイヤを包み込んで電気的に絶縁することが好ましい。
【００１０】
ワイヤは、ケーブルによってハウジングに送達されることが好ましい。ケーブルは、ハウジングからの遠位端において電源に接続可能であることが好ましい。或いは、ワイヤは、例えばバッテリ又は燃料電池などの内部電源から延びる。
【００１１】
中心ハブは、ケーブルを収容することが好ましい。装置は、プラスチック材料から成形されることが好ましい。装置は、第１の部品及び第２の部品で形成されることが好ましい。
【００１２】
第１の部品及び第２の部品は、いずれも少なくとも１つのアーム部分を提供することが好ましい。これにより、装置の組み立て時に、ワイヤ及び任意のケーブルを第１の部品及び第２の部品の一方に対して配置した後に他方の部品によってその位置に保持できるので、組み立てが単純になる。
【００１３】
第１の部品及び第２の部品は、いずれもハブ部分を提供することが好ましい。これにより、やはり装置の組み立て時に、ワイヤ及び任意のケーブルを第１の部品及び第２の部品の一方に対して配置した後に他方の部品によってその位置に保持できるので、組み立てが単純になる。
【００１４】
ハウジングは、機器のハンドルであることが好ましい。
【００１５】
第２の態様によれば、本発明は、流体入口から流体出口への流体流路を内部に定める管体と、管体に少なくとも１つのワイヤを分配する装置とを備え、装置が、中心ハブと、中心ハブから管体に向かって延びる少なくとも１つのアームとを含み、少なくとも１つのアームが、少なくとも１つのワイヤを収容する手持型機器を提供する。
【００１６】
少なくとも１つのアームは、流体流路を横切って延びることが好ましい。少なくとも１つのアームは、断面が対称であることが好ましい。少なくとも１つのアームは、流体流路に対して対称的に延びることが好ましい。２つのアームが存在し、各アームは対称であることが好ましい。複数のアームが存在する場合、これらのアームは、中心ハブの周囲に均等に離間することが好ましい。複数のアームが存在する場合、各アームは、断面、長さ及び流体流路内で露出する占有面積が実質的に同じである。従って、各アームは、同じ外部輪郭又はシルエットを有する。これらの各特徴は、アームによって流体流路内に発生する乱流を減少させ、従って生じる圧力損失及びノイズを最小化する。
【００１７】
好ましい実施形態では、２つのワイヤが存在し、少なくとも１つのアームが２つのアームを含み、各ワイヤを１つのアームが収容する。一対のアームを設ける場合、これら２つのアームは直径方向に離間することが好ましい。
【００１８】
少なくとも１つのアームは、断面が対称であることが好ましい。従って、流体は、少なくとも１つのアームの各側の周囲を均等に流れる。これにより、乱流及びノイズを生じるアームの周囲の非対称的な流れの形成が防がれる。
【００１９】
一対のアームは、Ｙ字形を描くことが好ましい。この形状には、中心ハブから管体までのワイヤが占める経路が湾曲することによってワイヤがねじれる可能性が少なく、これによりケーブルに加わるあらゆる力に抗する軸方向の補強がもたらされるという２つの利点がある。
【００２０】
中心ハブは、管体のほぼ中央に位置することが好ましい。
【００２１】
少なくとも１つのアームは、中心ハブから管体の流体出口に向かって延びることが好ましい。この実施形態では、少なくとも１つのアームが、流体流路内の流体の流れに従う。
【００２２】
少なくとも１つのアームは、流体流路内に発生する外乱及び乱流を最小化するように成形されることが好ましい。少なくとも１つのアームは、テーパ状の背面を有することが好ましい。テーパ状の背面は、４５°〜０°のテーパ部を有することが好ましい。或いは、少なくとも１つのアームは、対称的な翼形断面を有する。これにより、少なくとも１つのアームの下流端における流れの分離及び乱流の発生が減少する。
【００２３】
好ましい実施形態では、装置が、中心ハブから管体に向かって半径方向に延びる少なくとも１つの補強リブを含む。少なくとも１つの補強リブは、管体の少なくとも一部に沿って軸方向に延びることが好ましい。
【００２４】
１又は２以上の補強リブは、少なくとも１つのアームから流体入口に向かって延びることが好ましい。
【００２５】
少なくとも１つの補強リブは、管体のフープ強度を高めて、ケーブルが管体に向かって曲がる時に管体に伝わる応力を減少させる。
【００２６】
少なくとも１つの補強リブは、管体の流体入口に向かって湾曲することが好ましい。補強リブは、管体を構造的に支持するという効果を有するが、流体入口の一部を閉鎖するという逆効果も有する。流体入口に流入する流体へのあらゆる閉鎖又は制限を最小化するために、リブの厚みは、入口に向かって減少する。補強リブは、アームから延びる場合、ケーブルの周囲で形を変える。
【００２７】
少なくとも１つのアームは、少なくとも１つのワイヤを包み込んで電気的に絶縁することが好ましい。
【００２８】
ワイヤは、ケーブルによってハウジングに送達されることが好ましい。ケーブルは、ハウジングからの遠位端において電源に接続可能であることが好ましい。
【００２９】
中心ハブは、ケーブルを収容することが好ましい。
【００３０】
装置は、プラスチック材料から成形されることが好ましい。
【００３１】
装置は、第１の部品及び第２の部品で形成されることが好ましい。第１の部品及び第２の部品は、いずれも少なくとも１つのアーム部分を提供することが好ましい。第１の部品及び第２の部品は、いずれもハブ部分を提供することが好ましい。
【００３２】
管体は、少なくとも部分的に管体に沿って管体の流体出口の方に延びるワイヤガイドを含むことが好ましい。
【００３３】
ワイヤガイドは、少なくとも１つのワイヤを流体流路から絶縁することが好ましい。
【００３４】
少なくとも１つのアームは、ワイヤガイドと整列して、ケーブルから装置を通って管体に沿うワイヤの経路を提供することが好ましい。
【００３５】
管体は、機器のハンドルを含むことが好ましい。
【００３６】
第３の態様によれば、本発明は、流体入口から流体出口への流体流路を内部に定める管体と、管体にワイヤを分配する装置とを備え、装置が、中心ハブと、中心ハブから管体に向かって延びる少なくとも１つのアームとを含み、少なくとも１つのアームがワイヤを収容するヘアケア機器を提供する。
【００３７】
管体は、機器のハンドルを含むことが好ましい。
【００３８】
第４の態様によれば、本発明は、本体と、本体に接続された第１の端部、及び流体入口を含む第２の端部を有するハンドルと、流体入口からハンドルを通って本体に向かう流体流路と、流体流路に沿って流体を吸い込むファンユニットと、ファンユニットに電力を供給するための、ハンドルの第２の端部から延びるケーブルとを備え、ハンドルの壁部に沿ってケーブルからの少なくとも１つのワイヤ導かれる手持型機器を提供する。
【００３９】
ハンドルの壁部は、ケーブルからの少なくとも１つのワイヤを収容する、ハンドルに沿って長手方向に延びる少なくとも１つの凹部を含むことが好ましい。この実施形態では、ケーブルが２つのワイヤを有し、従って壁部は、ハンドルに沿って長手方向に延びる２つの凹部を含み、１つの凹部がケーブルからの２つのワイヤの各々を収容することが好ましい。２つの凹部は、壁部の直径方向に向かい合うことが好ましい。
【００４０】
壁部は、第１の端部からハンドルに沿って延びる２つの半円筒から形成されることが好ましい。２つの半円筒は、長手方向縁部に沿って互いに当接して壁部を形成することが好ましい。
【００４１】
ケーブルからの少なくとも１つのワイヤは、長手方向縁部内に収容されることが好ましい。
【００４２】
２つの半円筒のうちの第１の半円筒は、長手方向縁部内に形成された凹部を含み、少なくとも１つのワイヤは、この凹部内に収容されることが好ましい。２つの半円筒のうちの第１の半円筒は、２つの半円筒のうちの第１の半円筒の各長手方向縁部に沿って１つずつ配置された一対の凹部を含むことが好ましい。これとは別に、又はこれに加えて、２つの半円筒のうちの第２の半円筒は、長手方向縁部内に形成された少なくとも１つのさらなる凹部を含む。少なくとも１つのさらなる凹部は、凹部から半径方向に離間して配置されることが好ましい。或いは、２つの半円筒が互いに当接する場合、少なくとも１つのさらなる凹部は、凹部に隣接する。
【００４３】
ハンドルは、端壁と、端壁を通って延びるケーブルとを含むことが好ましい。ケーブルは、端壁内のほぼ中心に位置することが好ましい。
【００４４】
ケーブルは、ケーブルガイド内に収容されることが好ましい。ケーブルガイドは、ハンドル内でワイヤを分配するための追加装置である。ケーブルガイドは、ケーブルを取り囲んで流体流路から絶縁することが好ましい。
【００４５】
ケーブルガイドは、ケーブルを収容するための中心シリンダを含むことが好ましい。ケーブルガイドは、少なくとも１つのワイヤをケーブルから壁部に導くための少なくとも１つのアームをさらに含むことが好ましい。
【００４６】
少なくとも１つのアームは、流体流路内の乱流を最小化するように成形されることが好ましい。
【００４７】
少なくとも１つのアームは、テーパ状の背面を有することが好ましい。或いは、少なくとも１つのアームは、対称的な翼形断面を有する。
【００４８】
少なくとも１つのアームは、流体流路に沿って本体に向かって中心シリンダから内壁に延びることが好ましい。ケーブルガイドは、ケーブルガイドの周囲で半径方向に離間した２つのアームを含み、一方のアームは送電線を収容し、他方のアームは中性線を収容することが好ましい。ケーブルガイドは、Ｙ字形であることが好ましい。ケーブルガイドは、２つの部品で形成されることが好ましい。ケーブルガイドの一方の部品は、２つの半円筒の一方と一体的に形成されることが好ましい。ケーブルガイドの第２の部品は、２つの半円筒の他方と一体的に形成されることが好ましい。
【００４９】
ハンドルの壁部は、プラスチック材料から成形されることが好ましい。
【００５０】
ハンドルは、ハンドルの壁部の周囲に延びる外壁を含むことが好ましい。従って、ハンドルの壁部は内壁である。
【００５１】
ファンユニットは、外壁のハンドル内に設けられることが好ましい。ファンユニットは、モータ及びインペラを含むことが好ましい。
【００５２】
少なくとも１つのワイヤは、ハンドルの長さの少なくとも一部にわたって凹部内に保持され、少なくとも１つのワイヤは、ハンドルの実質的に全長にわたって凹部内に保持することもできる。凹部、一対の凹部及び少なくとも１つのさらなる凹部のいずれかが、少なくとも部分的に壁部に沿って延びる。
【００５３】
或いは、少なくとも１つのワイヤは、凹部によって部分的に保持され、チャネルによって部分的に保持される。チャネルは、２つの半円筒の長手方向縁部から半径方向に離間することが好ましい。従って、長手方向縁部に凹部が形成された実施形態では、チャネルが凹部から半径方向に離間する。チャネルは、好ましくはハンドルの壁部を形成する２つの半円筒の一方の中心に設けられ、これらの半円筒に沿って長手方向に延びることが好ましい。チャネルは、ファンユニットを収容するハンドル領域内に設けられることが好ましい。チャネルを設ける１つの理由は、機器の組み立てを容易にするためである。従って、少なくとも１つのワイヤはチャネル内に配置され、ファンユニット及びハウジングは、これらをファンユニットの周囲の適所に保持する少なくとも１つのワイヤにわたって半円筒内に位置し、この時少なくとも１つのワイヤは、壁部の凹部に沿ってケーブルの方に導かれる。
【００５４】
第５の態様によれば、本発明は、本体と、本体に接続された第１の端部、及び流体入口を含む第２の端部を有するハンドルと、流体入口からハンドルを通って本体に向かう流体流路と、流体流路に沿って流体を吸い込むファンユニットと、ファンユニットに電力を供給するための、ハンドルの第２の端部から延びるケーブルとを備え、ハンドルの壁部に沿ってケーブルからの少なくとも１つのワイヤ導かれるヘアケア機器を提供する。
【００５５】
ヘアケア機器は、ヘアドライヤ又は高温整髪ブラシであることが好ましい。
【００５６】
第６の態様によれば、本発明は、ダクトと、ダクトの外側面に収容されたユーザ操作可能ボタン、ダクトの内側面に収容された電気接点、及びボタンを電気接点に物理的に接続するプッシュロッドを含むスイッチとを備えた手持型機器を提供する。
【００５７】
ダクトは、概ね円形であり、電気接点は、ボタンのほぼ直径方向向かい側に収容されることが好ましい。
【００５８】
ダクトは、機器のハンドルであることが好ましい。
【００５９】
ダクトは、内壁を含み、電気接点は、この内壁に収容されることが好ましい。内壁は、ハンドルを通る流体流路を定めることが好ましい。
【００６０】
スイッチは、ダクトを横切ってプッシュロッドを導くためのガイドロッドをさらに含むことが好ましい。ガイドロッドは、ダクトの内壁の一部を形成し、ダクトを少なくとも部分的に横切って延びることが好ましい。ガイドロッドは、ダクトを横切って半径方向に延びることが好ましい。ガイドロッドは、電気接点によって少なくとも部分的に支持されることが好ましい。電気接点は、ダクトの内壁に少なくとも部分的に埋め込まれることが好ましい。
【００６１】
ガイドロッドは、ダクトを横切ってプッシュロッドを支持することが好ましい。
【００６２】
ガイドロッドは、内壁から流体流路を横切って延びることが好ましい。ガイドロッドは、流体が流体流路に沿って流れる時に、乱流の発生を軽減するように成形されることが好ましい。プッシュロッドは、概ね円筒形であることが好ましい。ガイドロッドは、開口部を含み、プッシュロッドは、この開口部を通って延びることが好ましい。
【００６３】
ガイドロッドは、下流端及び上流端を有し、上流端は、丸みを帯びていることが好ましい。ガイドロッドは、下流端及び上流端を有し、下流端は、尖っていることが好ましい。ガイドロッドの下流端は、流体流路内における流れの分離、乱流及びノイズの発生を最小化するように翼形状を有し、又はテーパ状の背面を形成することができる。
【００６４】
第７の態様によれば、本発明は、ダクトと、ダクトの外側面に収容されたユーザ操作可能ボタン、ダクトの内側面に収容された電気接点、及びボタンを電気接点に物理的に接続するプッシュロッドを含むスイッチとを備えたヘアケア機器を提供する。
【００６５】
第８の態様によれば、本発明は、本体と、ハンドルと、ハンドル内への流体入口から本体の流体出口に延びる流体流路と、バッフルとを備え、流体流路は非線形的であり、バッフルは流体流路内で流れを誘導するヘアケア機器を提供する。
【００６６】
流体流路は、ハンドル内で第１の方向に延び、本体内で第２の方向に延びることが好ましい。
【００６７】
バッフルは、ハンドルと本体との間で流れを誘導するように設けられることが好ましい。
【００６８】
バッフルは、ハンドルから本体内に定められた空間内に延びることが好ましい。
【００６９】
ハンドルは、ハンドル内に流体流路を定める壁部を含むことが好ましい。バッフルは、壁部の部分的連続部を形成することが好ましい。
【００７０】
本体及びハンドルは、第１の部品及び第２の部品として成形されることが好ましい。バッフルは、ハンドル部品及び本体部品から形成されることが好ましい。バッフルのハンドル部品は、第１の部品の一部として成形されることが好ましい。バッフルの本体部品は、第２の部品として成形されることが好ましい。
【００７１】
バッフルの本体部品は、本体内にハンドル壁部の部分的連続部を形成することが好ましい。
【００７２】
バッフルのハンドル部品は、第１の部品の一部として成形されることが好ましい。バッフルの本体部品は、第２の部品の一部として形成されることが好ましい。
【００７３】
本体は外壁を含み、ハンドルは壁部を含み、これらの各々は、流体入口から流体出口への流体流路を少なくとも部分的に定めることが好ましい。
【００７４】
機器の第１の部品は、ハンドル壁部の第１の部分を含むことが好ましい。機器の第２の部品は、本体の外壁と、ハンドル壁部の第２の部分とを含むことが好ましい。第１の部品と第２の部品とを組み立てると、完全な壁部が形成されることが好ましい。このハンドル壁部は、流体入口の上流に位置することが好ましい。ハンドルは、壁部を取り囲んで流体入口を含む外壁を含むことが好ましい。
【００７５】
バッフルは、弓形であることが好ましい。バッフルは、半径方向に弓形であることが好ましい。
【００７６】
本体内の流体流路は、ハンドル内の流体流路と実質的に直交することが好ましい。
【００７７】
本体は、上流端及び下流端を含み、流体出口は、下流端又はその近傍に位置することが好ましい。
【００７８】
ハンドルは、本体の上流端の方に位置することが好ましい。
【００７９】
本体内のハンドルと本体の上流端との間には、ＰＣＢが設けられることが好ましい。バッフルは、ハンドルから流れる流体とＰＣＢとの間の相互作用を低減することが好ましい。
【００８０】
バッフルは、スロットを含むことが好ましい。ＰＣＢは、ＰＣＢからハンドル上に位置する制御ボタンに延びる柔軟な延長部を含むことが好ましい。柔軟な延長部は、バッフル内のスロットを通過することが好ましい。
【００８１】
第９の態様によれば、本発明は、本体と、ハンドルと、ハンドル内への流体入口から本体の流体出口に延びる流体流路と、バッフルとを備え、流体流路は非線形的であり、バッフルは流体流路内で流れを誘導する手持型機器を提供する。
【００８２】
本発明の別の態様は、外壁及び内部ボアを有する本体を備え、外壁は、外壁から延びる第１のフィンガ対を含み、内部ボアは、内部ボアが外壁に接続された時に第１フィンガ対と交互配置されるように適合された、内部ボアから延びる第２のフィンガ対を含む手持型機器を提供する。
【００８３】
このように、機器の本体の２つの部品は、各部品から延びるフィンガを交互配置又は連結することによって機械的に取り付けられる。これにより、機器の効率的、効果的な機能、及び機器の所望の寿命にとって２つの部品の相対的位置が重要である場合に有利な、一方の物品の他方の物品に対する明確な位置がもたらされる。
【００８４】
また、例えばねじのための成形ハウジングなどの目に見える取り付け手段が存在しないので、単純でクリアな線が生成される。
【００８５】
外壁は、厚みｔを有し、第１のフィンガ対は、外壁の厚み内に形成されることが好ましい。これには２つの利点があり、１つ目には、壁部の厚みの連続性が存在するので、壁部の断面積の変化に起因する脆弱点が最小化される。２つ目には、部品の成形が単純化される。
【００８６】
第１のフィンガ対は、外壁から外壁に沿って軸方向に延びることが好ましい。これにより、応力の上昇が最小化されるので、やはり接合部のこの部分の脆弱性が最小化される。
【００８７】
第２のフィンガ対の一方は、第１のフィンガ対の間に挟持されることが好ましい。第１のフィンガ対の一方は、第２のフィンガ対の間に挟持されることが好ましい。これらの特徴の一方又は両方は、接合部の強度を高める。
【００８８】
第１のフィンガ対は、外側フィンガ及び内側フィンガを含み、外側フィンガは、機器の外側面の一部を形成することが好ましい。外側フィンガは、外側フィンガの厚みｔ１によって分離された外面及び内面を含み、この実施形態では、外側フィンガの外面が、外壁の外面の一部を形成する。内側フィンガも、内側フィンガの厚みｔ２によって分離された内面及び半径方向外面を含む。内側フィンガの内面は、外壁の内面の一部を形成することが好ましい。
【００８９】
外側フィンガは、内側フィンガよりも遠くに延びることが好ましい。第１のフィンガ対は、外壁の周囲で実質的に連続して延びることが好ましい。このことは、本体が概ね円筒形の場合、第１のフィンガ対が第２のフィンガ対と交互配置された時に形成される接合部が本体全体の周囲に延びることを意味する。
【００９０】
内部ボアは、ダクト及び側壁を含み、第２のフィンガ対は、側壁から延びることが好ましい。
【００９１】
第２のフィンガ対は、側壁の周囲で実質的に連続して延びることが好ましい。第２のフィンガ対は、内側フィンガ及び外側フィンガを含むことが好ましい。
【００９２】
側壁は、２つの部品から形成され、側壁の各部品は、第２のフィンガ対の一部を含むことが好ましい。側壁の第１の部品は、外側フィンガを含むことが好ましい。側壁の第１の部品は、内側フィンガの第１の部分を含むことが好ましい。側壁の第２の部品は、内側フィンガの第２の部分を含むことが好ましい。
【００９３】
内部ボアが外壁に接続された時には、ダクトが外壁内に延びることが好ましい。外壁とダクトとの間の空間が、機器の流体流路を定めることが好ましい。外壁は厚みｔを有し、側壁は、外壁の厚みｔを横切って延びることが好ましい。側壁は、側壁の周囲に延び外壁に隣接して軸方向に外壁の延長部を形成する角部を含むことが好ましい。
【００９４】
側壁は、外壁から傾角で延びることが好ましい。
【００９５】
外壁及び内部ボアは、視覚的に異なることが好ましい。
【００９６】
ダクトは、機器のさらなる流体流路を定めることが好ましい。
【００９７】
機器は、本体に接続されたハンドルを備えることが好ましい。
【００９８】
ハンドルは、流体入口と、流体入口からハンドルに沿って本体の方に延びる流体流路とを含むことが好ましい。
【００９９】
ハンドルは、流体入口内に流体を吸い込むためのファンユニットを含むことが好ましい。
【０１００】
第２の態様によれば、本発明は、外壁及び内部ボアを有する本体を備え、外壁が、外壁から延びる第１のフィンガ対を含み、内部ボアが、内部ボアが外壁に接続された時に第１のフィンガ対と交互配置されるように適合された、内部ボアから延びる第２のフィンガ対を含むヘアケア機器を提供する。
【０１０１】
このように、機器の本体の２つの部品は、各部品から延びるフィンガを交互配置又は連結することによって機械的に取り付けられる。これにより、機器の効率的、効果的な機能、及び機器の所望の寿命にとって２つの部品の相対的位置が重要である場合に有利な、一方の物品の他方の物品に対する明確な位置がもたらされる。
【０１０２】
外壁は、厚みｔを有し、第１のフィンガ対は、外壁の厚み内に形成されることが好ましい。これには２つの利点があり、１つ目には、壁部の厚みの連続性が存在するので、壁部の断面積の変化に起因する脆弱点が最小化される。２つ目には、部品の成形が単純化される。
【０１０３】
第１のフィンガ対は、外壁から外壁に沿って軸方向に延びることが好ましい。これにより、応力の上昇が最小化されるので、やはり接合部のこの部分の脆弱性が最小化される。
【０１０４】
第２のフィンガ対の一方は、第１のフィンガ対の間に挟持されることが好ましい。第１のフィンガ対の一方は、第２のフィンガ対の間に挟持されることが好ましい。これらの特徴の一方又は両方は、接合部の強度を高める。
【０１０５】
第１のフィンガ対は、外側フィンガ及び内側フィンガを含み、外側フィンガは、機器の外側面の一部を形成することが好ましい。外側フィンガは、外側フィンガの厚みｔ１によって分離された外面及び内面を含み、この実施形態では、外側フィンガの外面が、外壁の外面の一部を形成する。内側フィンガも、内側フィンガの厚みｔ２によって分離された内面及び半径方向外面を含む。内側フィンガの内面は、外壁の内面の一部を形成することが好ましい。
【０１０６】
外側フィンガは、内側フィンガよりも遠くに延びることが好ましい。従って、外側フィンガは内側フィンガよりも長く、すなわち外壁の外側面は、外壁の内側面よりも軸方向に長い。
【０１０７】
第１のフィンガ対は、外壁の周囲で実質的に連続して延びることが好ましい。このことは、本体が概ね円筒形の場合、第１のフィンガ対が第２のフィンガ対と交互配置された時に形成される接合部が本体全体の周囲に延びることを意味する。
【０１０８】
内部ボアは、ダクト及び側壁を含み、第２のフィンガ対は、側壁から延びることが好ましい。
【０１０９】
第２のフィンガ対は、側壁の周囲で実質的に連続して延びることが好ましい。第２のフィンガ対は、内側フィンガ及び外側フィンガを含むことが好ましい。
【０１１０】
側壁は、２つの部品から形成され、側壁の各部品は、第２のフィンガ対の一部を含むことが好ましい。側壁の第１の部品は、外側フィンガを含むことが好ましい。側壁の第１の部品は、内側フィンガの第１の部分を含むことが好ましい。側壁の第２の部品は、内側フィンガの第２の部分を含むことが好ましい。
【０１１１】
内部ボアが外壁に接続された時には、ダクトが外壁内に延びることが好ましい。
【０１１２】
外壁とダクトとの間の空間が、機器の流体流路を定めることが好ましい。
【０１１３】
外壁は厚みを有し、側壁は、外壁の厚みｔを横切って延びることが好ましい。
【０１１４】
側壁は、側壁の周囲に延び外壁に隣接して軸方向に外壁の延長部を形成する角部を含むことが好ましい。
【０１１５】
側壁は、外壁から傾角で延びることが好ましい。
【０１１６】
外壁及び内部ボアは、視覚的に異なることが好ましい。
【０１１７】
ダクトは、機器のさらなる流体流路を定めることが好ましい。
【０１１８】
機器は、本体に接続されたハンドルを備えることが好ましい。
【０１１９】
ハンドルは、流体入口と、流体入口からハンドルに沿って本体の方に延びる流体流路とを含むことが好ましい。
【０１２０】
ハンドルは、流体入口内に流体を吸い込むためのファンユニットを含むことが好ましい。
【０１２１】
ヘアケア機器は、ヘアドライヤであることが好ましい。
【０１２２】
以下、添付図面を参照しながら本発明を一例として説明する。
【図面の簡単な説明】
【０１２３】
【図１】本発明による機器の断面図である。
【図２】本発明による装置の等角図である。
【図３】図２の装置の断面図である。
【図４ａ】図３の装置の平面図である。
【図４ｂ】ケーブル上の張力緩和部をさらに詳細に示す図である。
【図５】本発明による装置の等角図である。
【図６】図５の装置のアームの断面図である。
【図７ａ】機器のハンドルの断面図である。
【図７ｂ】機器のハンドル内の装置の断面図である。
【図８ａ】機器のハンドルの内壁の断面図である。
【図８ｂ】機器のハンドルの内壁の別の断面図である。
【図９ａ】オン／オフスイッチの分解図である。
【図９ｂ】オン／オフスイッチの分解図である。
【図１０ａ】オン／オフスイッチの断面図である。
【図１０ｂ】オン／オフスイッチの別の断面図である。
【図１１ａ】オン／オフスイッチの後部等角投影図である。
【図１１ｂ】オン／オフスイッチの前部等角投影図である。
【図１２】機器のハンドルの部分の内部詳細図である。
【図１３ａ】図１の機器の本体の部分の断面図である。
【図１３ｂ】図１３ａの断面図の一部の拡大図である。
【図１３ｃ】図１３ａの断面図の一部の拡大図である。
【図１４】図１に示す機器の本体のいくつかの部品の分解図である。
【図１５ａ】機器のダクトの配向を示す説明図である。
【図１５ｂ】機器のダクトの異なる配向を示す説明図である。
【発明を実施するための形態】
【０１２４】
図１に、ハンドル２０及び本体３０を備えたヘアドライヤ１０を示す。ハンドルは、本体３０に接続された第１の端部２２と、本体３０から遠位側に存在する、一次入口４０を含む第２の端部２４とを有する。ヘアドライヤ１０には、ケーブル５０を介して電力が供給される。ケーブル５０のヘアドライヤ１０からの遠位端にはプラグ（図示せず）が備わり、このプラグは、例えば主電源又はバッテリパックへの電気的接続部を提供する。
【０１２５】
本体３０は、第１の端部３２及び第２の端部３４を有し、２つの部品を有していると見なすことができる。第１の端部３２からは、概ね一貫した直径を有する管状の第１の部品３６が延び、第２の端部３４からは、第１の部品３６に結合する第２の部品３８が延びる。第２の部品３８は円錐形であり、その長さに沿って本体３０の第１の部品３６の直径から本体の第２の端部３４のより小さな直径へと直径が変化する。
【０１２６】
ハンドル２０は、本体３０からハンドルの遠位端２４に延びる外壁２００を有する。ハンドルの遠位端２４では、外壁２００を横切って端壁２１０が広がる。ケーブル５０は、この端壁２１０を通じてヘアドライヤに入り込む。ハンドル２０の一次入口４０は、ハンドルの外壁２００に沿ってその周囲に広がる第１の開口部４２と、ハンドル２０の端壁２１０を貫いてその全体に広がる第２の開口部４６とを有する。ケーブル５０は、端壁２１０のほぼ中央に位置し、従ってハンドル２０の中心から延びる。端壁２１０は、ハンドルの外壁２００及び内壁２２０に直交する。
【０１２７】
ケーブル５０は、ユーザの手の中のハンドル２０の向きに関係なくヘアドライヤの平衡が保たれるという理由で、ハンドル２０の中心から延びることが好ましい。また、ユーザがハンドル２０上で手の位置を動かした場合でも、手に対するケーブル５０の位置が変化しないので、ケーブル５０から引っ張られることがない。仮にケーブルの中心をずらしてハンドルの片側に近付けた場合、ヘアドライヤの重量分布が向きと共に変化し、ユーザの気が散ってしまう。
【０１２８】
一次入口４０の上流には、ファンユニット７０が設けられる。ファンユニット７０は、ファン及びモータを含む。ファンユニット７０は、一次入口４０から本体３０内に延びる一次流路４００を通じて、一次入口４０から本体３０に向けて流体を吸い込み、ハンドル２０と本体３０は９０において接合される。流体流路４００は、本体３０内を本体の第２の端部３４に向かい、ヒータ８０の周囲を通って一次流体出口４４０まで続き、ファンユニットによって吸い込まれた流体は、ここで一次流体流路４００から出る。一次流体流路４００は直線ではなく、ハンドル２０内では第１の方向に進み、本体３０内では第１の方向と直交する第２の方向に進む。
【０１２９】
本体３０は、外壁３６０及びダクト３１０を含む。一次流体流路４００は、ハンドル２０と本体３０の接合部９０から本体に沿って、外壁３６０とダクト３１０の間を本体３０の第２の端部における一次流体出口４４０に向かって延びる。
【０１３０】
本体内には別の流体流路も設けられ、この流れはファンユニット又はヒータによって直接処理されず、ヘアドライヤ内の一次流を生成するファンユニットの作用によってヘアドライヤに吸い込まれる。この流体流は、一次流体流路４００内を流れる流体によってヘアドライヤ内に取り込まれる。
【０１３１】
本体の第１の端部３２は、流体入口３２０を含み、本体の第２の端部３４は、流体出口３４０を含む。流体入口３２０及び流体出口３４０は、本体内を本体に沿って延びる、本体３０の内壁であるダクト３１０によって少なくとも部分的に定められる。流体流路３００は、ダクト内を流体入口３２０から流体出口３４０に延びる。
【０１３２】
内側ダクトは、円錐形又はトランペット形部分３５０と、管状部分３１２とで形成される。本体３０の第１の端部３２では、管状部分３１２と外壁３６０との間に円錐部分３５０が広がる。この円錐部分３５０は、少なくとも部分的に流体入口３２０を定める。本体の第２の端部３４では、外壁３６０と管状部分３１２との間に間隙３７０が設けられ、この間隙３７０が一次流体出口４４０を定める。一次流体出口４４０は環状であり、流体流路３００を取り囲む。一次流体出口４４０は、一次流体流路４００が本体３０内で流体流路３００に合流できるように内側に存在することができる。或いは、一次流体出口４４０は外側に存在し、流体出口３４０において流体流路３００からの流体とは別に本体３０から排出される。
【０１３３】
ダクト３１０は、ヘアドライヤの外側からアクセスできるヘアドライヤの内壁である。従って、ダクト３１０は、ヘアドライヤの外壁である。ダクト３１０は、本体３０内の奥まった所に存在し、従って外壁３６０とダクト３１０の管状部分３１２を接続する円錐部分３５０は、外壁３６０に対して角度を成す。
【０１３４】
本体３０内の側壁３５０及び流体入口３２０の近くには、ヘアドライヤの制御電子回路を含むＰＣＢ７５が存在する。ＰＣＢ７５はリング状であり、ダクト３１０と外壁３６０の間においてダクト３１０の周囲に延びる。ＰＣＢ７５は、一次流体流路４００と流体連通する。ＰＣＢ７５は、流体流路３００の周囲に延び、ダクト３１０によって流体流路３００から分離される。
【０１３５】
ＰＣＢ７５は、ヒータ８０の温度及びファンユニット７０の回転速度などのパラメータを制御する。ＰＣＢ７５は、内部ワイヤ（図示せず）によってヒータ８０、ファンユニット７０及びケーブル５０に電気的に接続される。ＰＣＢ７５には、例えばユーザが様々な温度設定及び流速から選択を行えるように設けられた制御ボタン６２、６４が接続される。
【０１３６】
使用時には、ファンユニット７０の作用によって流体が一次流体流路４００内に吸い込まれ、任意にヒータ８０によって加熱されて一次流体出口４４０から排出される。この処理流により、流体入口３２０において流体が流体流路３００内に取り込まれるようになる。この流体は、本体の第２の端部３４において処理流と合流する。従って、ファンユニット及びヒータによって処理された流体は、取り込まれた流れによって増大する。
【０１３７】
外壁３６０とダクト３１０の間の空間は、ヒータ８０及びＰＣＢ７５を位置付けるために利用されるので、外壁３６０とダクト３１０の管状部分３１２との間の空間を本体３０の長さに沿って維持することが重要である。この１つの理由は、仮にこれらの各々とヒータ８０との間の間隔が実質的に一定でなければ、外壁３６０及び／又はダクト３１０の管状部分３１２の周囲にホットスポットが形成される可能性があるからである。ホットスポットは、機器のコンポーネントの早期故障を招く恐れがある。本体３０の第１の端部３２では、外壁３６０とダクト３１０との相対的位置が、外壁３６０及びダクト３１０から延びる交互的フィンガを含む接合部によって固定される。
【０１３８】
次に、特に図２〜図４及び図７ｂを参照すると、ワイヤ１０２、１０４を分配するための装置１００が中心ハブ１１０を有し、この中心ハブ１１０が、ケーブル５０と、ワイヤ１０２、１０４を中心ハブ１１０から機器１０のハンドル２０内の内壁２２０の方に導く際にワイヤ１０２、１０４を収容する一対のアーム１２０、１２２とを収容する。
【０１３９】
内壁２２０は、中心ハブ１１０よりも大きな直径を有し、従ってワイヤ１０２、１０４及びアーム１２０、１２２は、中心ハブ１１０から内壁２２０に向かって半径方向外向きに延び、略「Ｙ」字形の装置１００を形成する。
【０１４０】
内壁２２０は、流体流路内の乱流を抑えてノイズを緩和するように成形され穿孔される。内壁２２０の下流端２２２は、外壁２００から半径方向内向きに湾曲して、外壁２００と内壁２２０との間にライニング材２０２を配置する空間を提供する。ライニング材２０２及び内壁２２０の穿孔部４２２は、ハンドル２０内に発生する音及び／又は振動を吸収する。下流端２２２における内壁２２０の湾曲は、流体入口４０からの流体を、ライニング材２０２が位置する狭くなった断面領域に誘導する。
【０１４１】
装置１００の中心ハブ１１０は、流体入口４０から内壁２２０への流体流の中間に存在する。中心ハブ１１０は、流体流路４００内を流れる流体に及ぼす中心ハブ１１０の影響を低減するように、内壁２２０の下流端２２２から離れて間隔を空ける。中心ハブ１１０と内壁２２０の下流端２２２との間隔が狭い場合には、流れ内の乱流に伴ってノイズが発生する。
【０１４２】
この例では、装置１００が、各々が中心ハブ１１０の半分と、各２つのアーム１２０、１２２の半分とを形成する２つの部品１００ａ、１００ｂで形成される。従って、ケーブル５０を２つの部品１００ａ又は１００ｂの一方内に配置し、ワイヤ１０２、１０４を各アーム１２０、１２２の半分に対して配置した後、装置１００の他方の部品を取り付けてケーブル５０を中心ハブ１１０内に固定し、ワイヤ１０２、１０４をそれぞれのアーム１２０、１２２内に固定することができる。
【０１４３】
また、内壁２２０も２つの部品２２０ａ、２２０ｂで形成され、この内壁２２０の２つの部品２２０ａ、２２０ｂは、装置１００の２つの部品１００ａ、１００ｂに有利に対応して位置合わせされる。従って、装置１００の第１の部品１００ａは、内壁２２０の第１の部品２２０ａと位置合わせされ、装置の第２の部品１００ｂは、内壁２２０の第２の部品２２０ｂと位置合わせされる。これにより、内壁２２０内に収容される部品の組み立てが単純になる。例えば、ケーブル５０及びワイヤ１０２、１０４を装置１００の２つの部品の対応する一方の内部に配置する際に、内壁２２０の２つの部品の一方の内部にファンユニット７０などの部品を配置することができる。全ての部品が正確に位置合わせされると、内壁２２０及び装置１００内の２つの部品を結合してヘアドライヤ１０の内側ハンドル２６を形成することができる。
【０１４４】
内壁２２０の２つの部品２２０ａ、２２０ｂの各々は、ハンドル２６の中心管体又は内側ハンドル２６を共に形成する半円筒である。装置１００の２つの部品１００ａ、１００ｂをこれらの半円筒と位置合わせし、又はこれらに対応させるために、装置１００の２つの部品１００ａ、１００ｂも等しい半分として形成され、２つのアーム１２０、１２２は、中心ハブ１１０の周囲で直径方向に離間して形成される。
【０１４５】
装置１００は、各アーム１２０、１２２が実質的に類似し、ヘアドライヤ１０内で内壁２２０の２つの部品２２０ａ、２２０ｂと整列するいずれの配向においても使用できるように形成される。
【０１４６】
ワイヤ１０２、１０４を収容するアーム１２０、１２２は、中空シェルとすることもできるが、アームを通過するワイヤを収容するように適合された凹部を有する中実とすることもできる。両凹部は、完全に装置の２つの部品１００ａ、１００ｂの一方の内部に形成することもできるが、２つの凹部の各々を装置１００の２つの部品１００ａ、１００ｂ間で分割することもできる。
【０１４７】
ハンドル２０は、一方の端部２４に流体入口４０を有し、ここをケーブル５０が通過する。ケーブル５０は、ハンドル２０のほぼ中心に位置するので、装置１００の中心ハブ１１０もハンドル２０の中心又は中央に位置する。ヘアドライヤ１０の使用中、流体入口４０を流れる流体は、装置１００を通過し、内壁２２０によって定められた流体流路４００に入り込む。
【０１４８】
装置１００のアーム１２０、１２２は、流体流路４００を横切って延びる。アーム１２０、１２２は、流れのあらゆる非対称性を最小化するように対称である。アーム１２０、１２２は、ケーブル５０を引っ張る力に対抗する強度をもたらすように、中心ハブ１１０から内壁２２０の方に進むにつれ、流体入口４０から離れて延びる。換言すれば、アーム１２０、１２２は、流体流路４００の流体出口４４０に向かって延びる。また、アーム１２０、１２２は、乱流を最小化するように成形される。アーム１２０、１２２は、下流端１２４から最大直径に湾曲し、その後、上流端１２６に向かってテーパ状になる。アーム１２０、１２２はテーパ状の背面を有する。或いは、これらのアームを翼形の断面から形成することもできる。当業者であれば、流れの分離及び／又は乱流の発生を最小化することが目的であると理解するであろう。この実施形態では、装置１００が構造機能をさらに有し、４つの半径方向に離間した支持ストラット１１２、１１４、１１６、１１８を有する。一対の支持ストラット１１４、１１８は、アーム１２０、１２２から流体入口４０に向かって延び、他方の一対の支持ストラット１１２、１１６は、中心ハブ１１０からハンドル２０の外壁２００に向かって延びる。しかしながら、ハンドル２０の外壁２００は、本体３０から内壁２２０の遠位端２２２まで内壁２２０によって支持される薄いスリーブであり、内壁２２０は流体入口４０まで及んでいないので、外壁２００は、外壁２００に沿ってその周囲に広がる第１の一連の開口部４２の長さに沿って支持されていない。４つの支持ストラット１１２、１１４、１１６、１１８は、装置１００の中心ハブ１１０から半径方向外向きに延びて外壁２００に接触し、内壁２２０の遠位端２２２からハンドル２０の端部２４に向かって長手方向に延びる。
【０１４９】
支持ストラット１１２、１１４、１１６、１１８は板状であり、支持ストラット内の材料の量を減少させて流体入口４０の第１の開口部４２の遮断を最小限に抑えるように丸みを帯びた端部１２８を有する。支持ストラット１１２、１１４、１１６、１１８は、流体入口４０及びその周囲におけるハンドル２０のフープ強度を高め、従ってヘアドライヤ１０が落下した場合、これらの支持ストラットが、生じ得るあらゆるダメージを軽減する。支持ストラット１１２、１１４、１１６、１１８は、ケーブル５０がハンドル２０の方に曲げられた場合に、ハンドル２０をさらにダメージから保護する。
【０１５０】
この例では、装置１００の２つの部品１００ａ、１００ｂが、ねじ穴１０６に挿入されるねじ１０８を用いて共に固定される。これには２つの主な機能があり、第１に、製造中及びその後の使用中にワイヤ１０２、１０４が位置ずれしてアーム１２０、１２２の部品間に挟まれる可能性を防ぎ、第２に、ケーブル５０のための応力緩和部を形成する。
【０１５１】
ケーブル５０は、ハンドル２０の外部及び内部の両方においてケーブル５０を取り囲む外側被覆５２を有する。装置１００の中心ハブ１１０は、ケーブル５０及び外側被覆５２を収容するように適合された内側凹部５４を有する。内側凹部５４は、中心ハブ１１０の半径方向内向きに内側凹部５４内に延びる複数のラグ５６、５８、６０を有する。これらのラグ５６、５８、６０は、外側被覆５２の対応する凹部１３０（図１を参照）に係合する。ねじを用いて装置１００の２つの部品１００ａ、１００ｂを固定すると、外側被覆５２及びケーブル５０は、ハンドル２０内にしっかりと取り付けられ、ケーブル５０が引っ張られた場合でもハンドル２０から外れることが防がれる。
【０１５２】
外側被覆５２は、ワイヤ１０２、１０４が個々に突出するケーブル５０の端部に隣接して内部的に位置するプラスチック製の外側被覆５２ａと、ハンドル２０の外部でケーブル５０に沿ってプラスチック製の外側被覆５２ａを覆って延びるゴム製の外側被覆５２ｂという２つの部品で形成される。外側被覆５２の異なる部品を互いに固定するには、ケーブルタイ４８を使用する。
【０１５３】
図７ａ、図８ａ、図８ｂ及び図９を特に参照すると、内壁２２０は、この例では内壁２２０の第１の部品２２０ａの各縁部２２８、２３０に沿って１つずつ配置された一対の凹部２２４、２２６を含む。凹部２２４、２２６は、ケーブル５０からＰＣＢ７５に延びるワイヤ１０２、１０４を収容する。従って、ワイヤ１０２、１０４は、流体流に何らかの乱れをもたらすもつれ又は引っ掛かりから保護されて安全に流体流路４００から離れる。
【０１５４】
ケーブル５０は、送電線１０４及び中性線１０２を含む。中性線１０２は、ワイヤ分配装置１００から一方の凹部２２６内に入り込み、送電線１０４も、ワイヤ分配装置１００から第２の凹部２２４内に入り込む。ケーブルからのワイヤ１０２、１０４は、両凹部２２４、２２６内において、スペードコネクタ２３６、２３８を用いて機器の内部送電線１０４’及び内部中性線１０２’に接続される。
【０１５５】
ファンユニット７０は、モータを内壁２２０内で、従ってハンドル２０内で長手方向に保持する２つの環状シートによって内壁２２０内に支持される。ファンユニット７０の上流端に隣接して第１の環状シート２４２が設けられ、ファンユニット７０の下流端に隣接して第２の環状シート２４４が設けられる。凹部２２４、２２６は、ファンユニット７０を過ぎて続くこともできるが、この実施形態では、第１の環状シート２４２に交わる位置で途切れている。内部中性線１０２’及び内部送電線１０４’は、いずれもそれぞれの凹部２２４、２２６から内壁２２０の周囲を半径方向に導かれた後に、内壁２２０内に形成された一対のチャネル２４０に沿って長手方向に導かれる。一対のチャネル２４０は、第１の環状シート２４２を通り、内壁２２０沿いを進んだ後に第２の環状シート２４４を通って延びる。一対のチャネル２４０は、内部送電線１０４’及び内部中性線１０２’を受け入れ、これらのワイヤをファンユニット７０の周囲の適所に保持するように設計される。
【０１５６】
一対のチャネル２４０の下流端２４０ｂは、第２の環状シート２４４からオン／オフスイッチ２５０の電気接点２５２に延びるワイヤポケット２３２内に開口する。ワイヤポケット２３２は、スペードコネクタ２３６を介して送電線１０４を内部送電線１０４’に接続し、スペードコネクタ２３８を介して中性線１０２を内部中性線１０４’に接続する際に機器の構造に起因して生じる内部送電線１０４’及び内部中性線の緩んだ部分を収容するように設計される。
【０１５７】
内部送電線１０４’は、ヒータ８０のオン／オフスイッチ２５０の電気接点２５２から安全スイッチ及びヒューズ（図示せず）を介してＰＣＢに接続され、内部中性線１０２’はＰＣＢ７５に直接接続されて回路が完成する。ファンユニットのモータは、ワイヤ７２、７４（図１、図１０ｂを参照）を介してＰＣＢ７５に電気的に接続される。
【０１５８】
特に図８ａ〜図１１ｂを参照すると、オン／オフスイッチ２５０は、ユーザが機器１０をオン又はオフにするために押圧するボタン６４ａと、電気接点２５２と、ボタン６４ａを電気接点２５２に物理的に接続するプッシュロッド２６０とを含む。プッシュロッド２６０は、ユーザが操作するボタン６４ａに係合する第１の端部２５６と、電気接点２５２に係合する遠位端２５８とを有する。従って、ユーザがボタン６４ａを押圧すると、プッシュロッド２６０が電気接点２５２に向かって押され、機器１０がオン又はオフになる。ボタン６４ａは、ハンドル２０の外壁２００の外側面２４８に取り付けられる。電気接点２５２は、ハンドル２０の内壁２２０の内側面２４６上の、ボタン６４ａとは正反対の側に取り付けられる。プッシュロッド２６０は、ハンドル２０の内部を横切り、ハンドル２０内を流れる流体流路４００を横切って延びる。
【０１５９】
プッシュロッド２６０と電気接点２５２との相対的位置を維持するために、ガイドロッド２７０が設けられる。ガイドロッド２７０は、内壁２２０に取り付けられた第１の端部２７２と、第１の端部２７２から離れた第２の端部２７４とを有する。プッシュロッド２６０は、概ね円筒形であり、ガイドロッド２７０を貫いて延びる開口部２６６を通って延びる。
【０１６０】
ガイドロッド２７０は、プッシュロッド２６０を取り囲んで、又はその周囲に延びてプッシュロッド２６０を支持し、ボタン６４ａ及び電気接点２５２に対するプッシュロッド２６０の位置を維持する。ガイドロッド２７０は、丸みを帯びた上流端２７６と、尖った下流端２７８とを有する概ね涙形である。結果として得られる断面は、円形の上流端と、三角形の下流端とを有する。
【０１６１】
電気接点２５２とプッシュロッド２６０との間には、電気接点２５２のオン及びオフ位置を示すボタン６４ａの明確な位置をもたらす伸縮ばね２９０が設けられる。
【０１６２】
流体流路４００は非直線的であり、ハンドル２０内では第１の方向に延び、本体３０内では第２の方向に延びる。ハンドル２０と本体３０との間の接合部９０にはバッフル３３０（図１０ａ）が設けられ、このバッフル３３０は、２つの主な機能を有する。第１の機能は、ノイズを抑えることであり、第２の機能は、ＰＣＢ７５からハンドル２０のボタン６４ａへのデジタル接続のための経路をもたらすことである。
【０１６３】
流体は、流体入口４０からハンドル２０の内部に沿って流体流路４００内を流れる。流体流路４００は、ハンドル２０と本体３０との間の接合部９０において約９０°向きを変える。流体流路４００内を流れる流体は、ＰＣＢ７５の位置に起因して、ＰＣＢと相互作用して乱流及びノイズを生じる傾向にある。バッフル３３０は、流体が第１の端部３２に向かって分散してＰＣＢ７５と直接相互作用するのを少なくとも部分的に阻止するように設けられる。
【０１６４】
また、ＰＣＢ７５は、本体３０内のダクト３１０と外壁３６０との間に本体３０の第１の端部３２に隣接して形成された空間内に収容される。バッフル３３０は、流体がハンドル２０からＰＣＢ７５上に直接流れるのも少なくとも部分的に阻止する。
【０１６５】
バッフル３３０は弓形であり、ハンドル２０の内壁２２０の曲率に倣って湾曲し、スイッチ２５０から部分的に本体３０内に上向きに延びる。この実施形態では、バッフル３３０が、内壁２２０の第２の部品２２０ｂの長手方向縁部２８６、２８８とほぼ位置合わせされた外縁部３３０ａ、３３０ｂを有する。バッフル３３０は、ハンドル部品３２２及び本体部品３６２という２つの部品で形成される。ハンドル部品３２２は、内壁２２０の第２の部品２２０ｂと共に成形され、第２の部品２２０ｂを本体３０に向けて延ばす。本体部品３６２は、本体３０の外壁３６０と共に成形され、バッフルを本体３０の空間内にさらに延ばす。
【０１６６】
バッフル３３０は、柔軟な延長部３３４の形のデジタル接続部をＰＣＢ７５とボタン６４ｂとの間に通すようにハンドル部品３２２に設けられたスロット３３２を含む。オン／オフボタン６４ａはアナログスイッチの一部であるが、このようなスイッチは、例えば制御設定の変更又は冷気機能の提供を行うボタン６４ｂにとっては不要である。柔軟な延長部３３４は、第１の端部３３６においてＰＣＢ７５に接続し、ハンドル２０と本体３０との間の接合部９０の周囲のバッフル３３０の流体流側において折れ曲がり、従って柔軟な延長部３３４は流体流路４００内に存在し、バッフル３３０のハンドル部品３２２に形成されたスロット３３２を通ってボタン６４ｂに至り、第２の端部３３８に向かう。スロット３３２と柔軟な延長部３３４の第２の端部３３８との間では、柔軟な延長部３３４がハンドル２０の内壁２２０と外壁２００との間に存在する。
【０１６７】
ボタン６４ｂの周囲で第２の端部３３８に向けて柔軟な延長部３３４を配置するために、内壁２２０から直立する接続ピップ（ｃｏｎｎｅｃｔｉｏｎ  ｐｉｐｓ）３２８が設けられる。ボタン６４ｂと柔軟な延長部３３４との間には、ボタン６４ｂの周囲の流体流路４００から流体が漏出するのを防ぐようにシール部材３４２が設けられる。
【０１６８】
ボタン６４ｂは、ハンドル２０からわずかに突出する、ユーザが押すキャップである第１の部品６８と、電気接点６６ａを含む第２の部品６６との２つの部品を有する。ユーザが第１の部品６８を押すと、第２の部品６６が柔軟な延長部３３４の方に押され、第２の部品６６から延びる電気接点６６ａが柔軟な延長部３３４に電気的に接続する。
【０１６９】
ボタン６４ａ、６４ｂ及びその関連部品にさらなる支持をもたらすために、中間壁パネル１６０が設けられて、ボタン６４ａ、６４ｂの周囲のハンドルの内壁２２０と外壁２００との間に配置される。中間壁パネル１６０は、プッシュロッド２６０及びボタン６４ｂの第２の部品６６をハンドル２０内に保持するように適合される。中間壁パネル１６０は、プッシュロッド２６０の第１の端部２５６が突出する第１の開口部１６２を含む。プッシュロッド２６０の第１の端部２５６の周囲には、第１の開口部１６２よりも大きな直径を有するフランジ２５６ａが延びる。従って、フランジ２５６ａは、プッシュロッド２６０を中間壁パネル１６０内に保持する。
【０１７０】
内壁２２０ｂは、プッシュロッド２６０の遠位端２５８が通過できて第１の端部２５６が通過できない開口部２１８を含む。ボタン６４ａが押されると、プッシュロッド２６０の第１の端部２５６が半径方向内向きに押されるが、この半径方向の動きの大きさは、内壁２２０ｂの開口部２１８によって制限される。開口部２１８及びフランジ２５６ａは、第１の端部２５６が所定量を超えて半径方向に動くのを防ぐ。これにより、電気接点に過剰な力が加わることが防がれるとともに、プッシュロッド２６０への支持ももたらされる。
【０１７１】
中間壁パネル１６０は、ボタン６４ｂの第２の部品６６が突出する第２の開口部１６４も有する。ボタン６４ｂの第２の部品６６もフランジ６６ａを有し、フランジ６６ａは、第２の部品６６の周囲に延びて第２の開口部１６４よりも大きな直径を有し、従って第２の部品６６を中間壁パネル１６０と柔軟な延長部３３４との間の適所に保持する。内壁２２０は、位置ピップ（ｌｏｃａｔｉｏｎ  ｐｉｐｓ）３２８によって柔軟な延長部３３４を適所に保持する。
【０１７２】
装置１００のアーム１２０、１２２及び／又は凹部２２６、２２８は、それぞれに含まれるワイヤを、流体流路から電気的に絶縁するように封入することが好ましい。
【０１７３】
本体３０の外壁３６０及びハンドル２０の内壁２２０は、プラスチック材料から成形されることが好ましい。好適なプラスチック材料としては、ポリカーボネート、ガラス充填ＰＰＡ（ポリフタルアミド）、ＰＰＳ（ポリフェニレンサルファイド）、ＬＣＡＰ（液晶芳香族ポリマー）又はＰＥＥＫ（ポリエーテルエーテルケトン）が挙げられ、当業者であれば、このリストは包括的なものではなく、別の製造方法と共に他の材料を使用することもできると認識するであろう。ハンドル２０の外壁２００は、複数の好適な材料のいずれかで形成できるが、アルミニウム、アルミニウム合金、鋼又はステンレス鋼で形成することが好ましい。
【０１７４】
装置１００と、ハンドル２０の外壁２００は、一体的に成形することができる。本体３０の外壁３６０、内壁の第１の部品２２０ａ及び装置の第１の部品１００ａは、機器の第１の要素として成形されることが好ましく、内壁２２０の第２の部品２２０ｂ及び装置１００の第２の部品１１０ｂは、機器の第２の要素として成形されることが好ましい。バッフル３３０は、２つの部品として成形する必要はなく、代わりに機器の第１又は第２の要素のいずれかと一体に成形される。
【０１７５】
次に、図１３ａ、図１３ｂ、図１３ｃ、図１４、図１５ａ及び図１５ｂを特に参照しながら、外壁３６０とダクト３１０との間の接合部について詳細に説明する。外壁３６０は、外面３６０ａと、外壁の厚みｔによって分離された内面３６０ｂとを有する。外壁３６０は、本体３０の上流端又は第１の端部３２の方に、本体３０の長さに沿って外壁３６０から軸方向に延びる第１のフィンガ対１３６２、１３６４を含む。第１のフィンガ対１３６２、１３６４の各々は、外壁３６０の厚みｔ内に形成される。この例では、第１のフィンガ対１３６２、１３６４が、いずれも外壁３６０の円周回りに連続して延びる。
【０１７６】
第１のフィンガ対１３６２、１３６４は、外側フィンガ１３６２及び内側フィンガ１３６４を有する。外側フィンガ１３６２は、フィンガの厚みｔ１によって分離された外面３６２ａ及び内面３６２ｂを有する。外側フィンガ１３６２の外面３６２ａは、外壁３６０の外側面３６０ａの一部を形成する。内側フィンガ１３６４は、内側フィンガ１３６４の厚みｔ２によって分離された内面３６４ｂ及び半径方向外面３６４ａを有する。内側フィンガ１３６４の内面３６４ｂは、外壁３６０の内側面３６０ｂの一部を形成する。
【０１７７】
第１のフィンガ対１３６２、１３６４は、外壁３６０とダクト３１０との間の接合部の第１の部分を形成する。
【０１７８】
ダクト３１０は、管状部分３１２と、円錐形又はトランペット形部分３５０とを有する。管状部分３１２は、外壁３６０内に延び、円錐部分３５０は、外壁３６０と管状部分３１２との間に延びて、機器内へのさらなる流体入口３２０を定め、流体流路４００を本体３０内に密封する。円錐部分３５０には斜めに角度が付いており、従ってダクト３１０の管状部分３１２は本体３０内に引っ込んでいる。
【０１７９】
円錐部分３５０からは、第２のフィンガ対３５２、３５４が延びる。第２のフィンガ対３５２、３５４は、第１のフィンガ対１３６２、１３６４と交互になって、本体３０の第１の端部３２における外壁３６０と内部ボア３１０との間の接続部又は接合部を提供するように適合される。
【０１８０】
外壁３６０と内部ボア３１０の管状部分３１２とはほぼ同心状であり、外壁３６０長手方向軸と管状部分３１２の長手方向軸とはほぼ平行である。第２のフィンガ対３５２、３５４は、円錐部分３５０の内面３５０ｂから管状部分３１２に向かって延び、管状部分３１２と概ね平行である。従って、ダクト３１０の管状部分３１２が外壁３６０に挿入されると、第２のフィンガ対３５２、３５４が第１のフィンガ対１３６２、１３６４と交互になって連結する（図１２ａ、図１２ｂ及び図１２ｃ）。
【０１８１】
次に、第２のフィンガ対３５２、３５４について詳細に説明すると、内側フィンガ３５４と、半径方向外側フィンガ３５２とが存在する。半径方向外側フィンガ３５２は、外側フィンガ１３６２と内側フィンガ１３６４との間に挟持又は保持される。半径方向外側フィンガ３５２は、厚みｔ３によって分離された外面３５２ａ及び内面３５２ｂを有する。第１のフィンガ対と第２のフィンガ対との間に接合部が形成されると、半径方向外側フィンガ３５２の外面３５２ａは、第１のフィンガ対の外側フィンガ１３６２の内面３６２ｂに隣接して存在し、半径方向外側フィンガ３５２の内面３５２ｂは、第１のフィンガ対の内側フィンガ１３６４の半径方向外面３６４ａに隣接して存在する。
【０１８２】
第２のフィンガ対の内側フィンガ３５４は、厚みｔ４によって分離された内面３５４ｂ及び半径方向外面３５４ａを有する。２つのフィンガ対間に接合部が形成されると、第１のフィンガ対の内側フィンガ１３６４は、第２のフィンガ対の内側フィンガ３５４と半径方向外側フィンガ３５２との間に挟持又は交互配置される。従って、内側フィンガ３５２の半径方向外面３５４ａ及び半径方向外側フィンガ３５２の内面３５２ｂは、それぞれ内側フィンガ１３６４の内面３６４ｂ及び内側フィンガ１３６４の半径方向外面３６４ａに隣接して存在する。
【０１８３】
説明した例では、第１のフィンガ対１３６２、１３６４及び第２のフィンガ対３５２、３５４の各フィンガがほぼ同じ厚みである。これにより、接合に関与するフィンガのうちの１つの連結が弱まる可能性が低下する。従って、ｔ１、ｔ２、ｔ３及びｔ４は、全て実質的に等しい。
【０１８４】
第１のフィンガ対１３６２、１３６４は、本体３０の外壁３６０の周囲に連続する。第２のフィンガ対３５２、３５４も、ダクト３１０の円錐部分３５０の周囲に連続する。
【０１８５】
この例では、円錐部分３５０が、円錐部分３５０の外面３５０ａからユーザがアクセスするいくつかの制御ボタン６２を含む。制御ボタン６２は、例えば機器の流れ及び温度の設定を変更するために使用される。機器のボタン６２の周囲部分の製造を容易にするために、円錐部分３５０は２つの部品で作製される。第１の部品１４００は、ダクト３１２と、半径方向外側フィンガ３５２と、内側フィンガ３５４の第１の部分３５６と、円錐部分３５０の外面３５０ａとを含む。第２の部品４０２は、ボタン６２の特徴部のための支持体と、制御ボタン６２の現在の設定を視覚的に表示する光ガイドのためのハウジング４０４と、内側フィンガ３５４の第２の部分４５４とを提供するアーチ形区分である。円錐部分３５０の第１の部品１４００と第２の部分４０４とを組み合わせると、内側フィンガ３５４の第１の部分３５６と第２の部分４５４とが結合して、円錐部分３５０の周囲に連続的なリングが形成される。
【０１８６】
円錐部分３５０の第１の部品１４００と第２の部品４０２は、接着、溶接などを含む多くの方法のいずれか１つによって接合することができる。この例では、第２の部品４０２が第１の部品１４００に取り付けられると、第２の部品４０２を第１の部品１４００に対して正しく配置するのを支援するために最初に使用されるヒートステーク（ｈｅａｔ  ｓｔａｋｅｓ）３５８が溶け、円錐部分３５０の第１の部品１４００と第２の部品４０２との相対的位置を固定する。
【０１８７】
本体３０の円錐部分３５０と外壁３６０は、互いに押して嵌め込むことができるが、外壁３６０とダクト３１０との間の接合部は、ＰＣＢ７５又はヒータ８０などの機器の内部部品への偶発的アクセスを防ぐようにさらに接着することが好ましい。例えば３５２ｂ及び３６４ａなどの特定の接合部表面に接着剤を施すことができ、又は／及び第１のフィンガ対１３６２、１３６４間及び第２のフィンガ対３５２、３５４間の一方又は両方に、接合部の組み立て中にダクト３１０が外側本体３６０に押し込まれると接合面に沿って広がる接着剤容器を与えることもできる。接着剤の量は、接合部に適度な強度を与えるのには十分であるが、本体３０内で内部的に、又は第１のフィンガ対の外側フィンガ１３６２の周囲で外部的に接着剤を除去するほどではないことが好ましい。
【０１８８】
ダクト３１０の円錐部分３５０には、角部１３７０が設けられる。角部１３７０は、基本的に、第２のフィンガ対３５２、３５４を越えて半径方向外側に向かう円錐部分３５０の連続部分である。角部１３７０は、円錐部分３５０の周囲に、半径方向外側フィンガ３５２よりもさらに半径方向外向きに延びる直立リムを形成する。ダクト３１０が本体３０に挿入されると、角部１３７０の外面１３７０ａが、本体３０の外壁３６０の外面３６０ａ及び外側フィンガ１３６２の外面３６２ａと整列して、本体３０の外壁３６０の連続部分を形成する。角部１３７０と外側フィンガ１３６２との間には、本体３０とダクト３１０のあらゆるわずかなサイズのずれを吸収する間隙３７２を設けることができる。
【０１８９】
外壁３６０及びダクト３１０は、プラスチック材料から成形されることが好ましい。好適なプラスチック材料としては、ポリカーボネート、ガラス充填ＰＰＡ（ポリフタルアミド）、ＰＰＳ（ポリフェニレンサルファイド）、ＬＣＡＰ（液晶芳香族ポリマー）又はＰＥＥＫ（ポリエーテルエーテルケトン）が挙げられ、当業者であれば、このリストは包括的なものではなく、別の製造方法と共に他の材料を使用することもできると認識するであろう。ハンドル２０の外壁２００は、複数の好適な材料のいずれかで形成できるが、アルミニウム、アルミニウム合金、鋼又はステンレス鋼で形成することが好ましい。
【０１９０】
説明した実施形態では、モータ及びファンが機器のハンドル内に位置するが、これは必須ではない。ダクト３００は、さらなる流体流路を提供する必要はなく、円錐部分３５０は、外壁３６０によって表される領域全体を横切って延びることもでき、ダクト３００を用いてファンユニットを収容することもできる。
【０１９１】
ヘアドライヤに関して本発明を詳細に説明したが、本発明は、流体を吸い込んでこの流体を機器から流出させるように導くあらゆる機器に適用可能である。
【０１９２】
この機器は、ヒータの有無に関わらず使用することができ、流体の高速流出作用は乾燥効果を有する。
【０１９３】
一般に、機器内を流れる流体は空気であるが、異なる気体又は一種類の気体の組み合わせであってもよく、機器の性能、或いは出力が向けられる毛髪などの物体及びそのスタイリングに機器が与える影響を改善する添加物を含むこともできる。
【０１９４】
本発明は、上述した詳細な説明に限定されるものではない。当業者には、変形例が明らかであろう。
【０１９５】
本発明は、以下のような態様であっても良い。
［１］
ヘアケア機器であって、本体と、ハンドルと、該ハンドル内への流体入口から前記本体からの流体出口に流れる流体流路と、バッフルとを備え、前記流体流路は、非線形的であり、前記バッフルは、前記流体流路内で流れを誘導し、前記バッフルは、前記壁部の部分的連続部を形成する、
ことを特徴とする機器。
［２］
前記流体流路は、前記ハンドル内では第１の方向に流れ、前記本体内では第２の方向に流れる、
上記［１］に記載の機器。
［３］
前記バッフルは、前記ハンドルと前記本体との間で流れを誘導するように設けられる、上記［１］又は［２］に記載の機器。
［４］
前記ハンドルは、該ハンドル内の前記流体流路を定める壁部を含む、
上記［１］から［３］のいずれかに記載の機器。
［５］
前記本体及び前記ハンドルは、第１の部品及び第２の部品として成形される、
上記［１］から［４］のいずれかに記載の機器。
［６］
前記本体は外壁を含み、前記ハンドルは壁部を含み、該外壁及び該壁部の各々は、前記流体入口から前記流体出口への前記流体流路を少なくとも部分的に定める、
上記［５］に記載の機器。
［７］
前記機器の前記第１の部品は、前記ハンドルの前記壁部の第１の部分を含む、
上記［６］に記載の機器。
［８］
前記機器の前記第２の部品は、前記本体の前記外壁と、前記ハンドルの前記壁部の第２の部分とを含む、
上記［７］に記載の機器。
［９］
前記第１の部品と前記第２の部品とを組み立てると、完全なハンドル壁部が形成される、
上記［８］に記載の機器。
［１０］
前記ハンドル壁部は、前記流体入口の上流に位置することが好ましい、
上記［６］から［９］のいずれかに記載の機器。
［１１］
前記ハンドルは、前記壁部を取り囲んで前記流体入口を含む外壁を含む、
上記［６］から［１０］のいずれかに記載の機器。
［１２］
前記本体内の前記流体流路は、前記ハンドル内の前記流体流路と実質的に直交する、
上記［１］から［１１］のいずれかに記載の機器。
［１３］
前記本体は、上流端及び下流端を有し、前記流体出口は、前記下流端又はその近傍に位置する、
上記［１２］に記載の機器。
［１４］
前記ハンドルは、前記本体の前記上流端の方に位置する、
上記［１３］に記載の機器。
［１５］
前記本体内の前記ハンドルと前記本体の前記上流端との間に、ＰＣＢが設けられる、
上記［１４］に記載の機器。
［１６］
手持型機器であって、本体と、ハンドルと、該ハンドル内への流体入口から前記本体からの流体出口に流れる流体流路と、バッフルとを備え、前記流体流路は、非線形的であり、前記バッフルは、前記流体流路内で流れを誘導し、前記バッフルは、前記壁部の部分的連続部を形成する、
ことを特徴とする機器。
［１７］
前記流体流路は、前記ハンドル内では第１の方向に流れ、前記本体内では第２の方向に流れる、
上記［１６］に記載の機器。
［１８］
前記バッフルは、前記ハンドルと前記本体との間で流れを誘導するように設けられる、上記［１６］又は［１７］に記載の機器。
［１９］
前記ハンドルは、前記ハンドル内の前記流体流路を定める壁部を含む、
上記［１６］から［１８］のいずれかに記載の機器。
［２０］
前記本体及び前記ハンドルは、第１の部品及び第２の部品として成形される、
上記［１６］から［１９］のいずれかに記載の機器。
［２１］
前記本体は外壁を含み、前記ハンドルは壁部を含み、該外壁及び壁部の各々は、前記流体入口から前記流体出口への前記流体流路を少なくとも部分的に定める、
上記［２０］に記載の機器。
［２２］
前記機器の前記第１の部品は、前記ハンドルの前記壁部の第１の部分を含む、
上記［２１］に記載の機器。
［２３］
前記機器の前記第２の部品は、前記本体の前記外壁と、前記ハンドルの前記壁部の第２の部分とを含む、
上記［２２］に記載の機器。
［２４］
前記第１の部品と前記第２の部品とを組み立てると、完全なハンドル壁部が形成される、
上記［２３］に記載の機器。
［２５］
前記ハンドル壁部は、前記流体入口の上流に位置することが好ましい、
上記［２１］から［２４］のいずれかに記載の機器。
［２６］
前記ハンドルは、前記壁部を取り囲んで前記流体入口を含む外壁を含む、
上記［２１］から［２５］のいずれかに記載の機器。
［２７］
前記本体内の前記流体流路は、前記ハンドル内の前記流体流路と実質的に直交する、
上記［１６］から［２６］のいずれかに記載の機器。
［２８］
前記本体は、上流端及び下流端を有し、前記流体出口は、前記下流端又はその近傍に位置する、
上記［２７］に記載の機器。
［２９］
前記ハンドルは、前記本体の前記上流端の方に位置する、
上記［２８］に記載の機器。
［３０］
前記本体内の前記ハンドルと前記本体の前記上流端との間に、ＰＣＢが設けられる、
上記［２９］に記載の機器。
［３１］
前記機器はヘアドライヤである、
上記［１］から［１５］のいずれかに記載の機器。
［３２］
実質的に図を参照しながら本明細書で説明したヘアドライヤ。
【符号の説明】
【０１９６】
２０  ハンドル
３０  本体
３２  本体の第１の端部
３４  本体の第２の端部
６４ａ  ボタン
６４ｂ  ボタン
６６ａ  フランジ
６８  ボタンの第１の部品
７５  ＰＣＢ
９０  接合部
１６０  中間壁パネル
２００  ハンドルの外壁
２１８  開口部
２２０ａ  内壁の第１の部品
２２０ｂ  内壁の第２の部品
２４６  内壁の内側面
２４８  外壁の外側面
２５２  電気接点
２５６  プッシュロッドの第１の端部
２５６ａ  フランジ
２５８  プッシュロッドの遠位端
２６０  プッシュロッド
２６６  開口部
２７０  ガイドロッド
２７２  ガイドロッドの第１の端部
２７４  ガイドロッドの第２の端部
２７６  ガイドロッドの上流端
２７８  ガイドロッドの下流端
２９０  伸縮ばね
３２２  ハンドル部品
３３０  バッフル
３３０ａ  バッフルの外縁部
３３４  柔軟な延長部
３３８  柔軟な延長部の第２の端部
３６０  本体の外壁
３６２  本体部品
４００  一次流路
６６０  電気接点
【図１】
2018149372.tif 000003
【図２】
2018149372.tif 000004
【図３】
2018149372.tif 000005
【図４ａ】
2018149372.tif 000006
【図４ｂ】
2018149372.tif 000007
【図５】
2018149372.tif 000008
【図６】
2018149372.tif 000009
【図７ａ】
2018149372.tif 000010
【図７ｂ】
2018149372.tif 000011
【図８ａ】
2018149372.tif 000012
【図８ｂ】
2018149372.tif 000013
【図９ａ】
2018149372.tif 000014
【図９ｂ】
2018149372.tif 000015
【図１０ａ】
2018149372.tif 000016
【図１０ｂ】
2018149372.tif 000017
【図１１ａ】
2018149372.tif 000018
【図１１ｂ】
2018149372.tif 000019
【図１２】
2018149372.tif 000020
【図１３ａ】
2018149372.tif 000021
【図１３ｂ】
2018149372.tif 000022
【図１３ｃ】
2018149372.tif 000023
【図１４】
2018149372.tif 000024
【図１５ａ】
2018149372.tif 000025
【図１５ｂ】
2018149372.tif 000026